(57)【特許請求の範囲】
【請求項１】
楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号と共に所定の背景映像情報の再生の禁止を指示する指示信号を送信する信号送信手段と、
この信号送信手段により送信される選択信号と指示信号とを受信する信号受信手段と、
前記信号送信手段により送信された指示信号が前記信号受信手段によって受信された場合に、前記背景映像情報のうち、前記背景映像再生手段による所定の背景映像情報の再生を禁止する背景映像再生禁止手段と、
が備えられたことを特徴とする楽音再生装置。
【請求項２】
楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号と共に所定の背景映像情報の再生の禁止を指示する指示信号を受信する信号受信手段と、
前記指示信号が前記信号受信手段によって受信された場合に、前記背景映像情報のうち、前記背景映像再生手段による所定の背景映像情報の再生を禁止する背景映像再生禁止手段と、
が備えられたことを特徴とする楽音再生装置。
【請求項３】
前記信号送信手段には、前記所定の背景映像の再生の禁止および許容のうちのいずれかを設定する設定スイッチが備えられ、該設定スイッチに所定の背景映像の再生の禁止が設定されることにより前記禁止を指示する指示信号を送信することを特徴とする請求項１に記載の楽音再生装置。
【請求項４】
楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号からなる第１の信号を送信する第１信号送信手段及び第２の信号を送信する第２信号送信手段と、
第１信号送信手段、第２信号送信手段により送信される第１の信号、第２の信号を受信し、第１の信号送信手段からの第１の信号であるか前記第２の信号送信手段からの第２の信号であるかを判別する信号受信手段と、
前記第２の信号が受信された場合に、前記背景映像情報のうち、前記背景映像再生手段による所定の背景映像情報の再生を禁止する背景映像再生禁止手段と、を備えることを特徴とする楽音再生装置。
【発明の詳細な説明】
【０００１】
【発明の属する技術分野】
この発明は、楽曲を再生する楽音再生装置であって、モニタにカラオケ用の背景映像および字幕映像を表示するカラオケ装置として好適なものに関する。
【０００２】
【従来の技術】
従来、カラオケの歌詞を示す字幕映像と、カラオケの背景映像とをモニタ画面に表示し、カラオケ曲およびマイク音声をアンプおよびスピーカで再生するカラオケ装置が知られている。
このものには、複数の背景映像が曲のジャンル別に記録された記録媒体を再生する再生装置が備えられており、選曲時に上記記録媒体からランダムに背景映像を読み出して表示することが行われている。
【０００３】
【発明が解決しようとする課題】
ところで、演歌、ポップスなどのジャンルに対応した背景映像の中には、成人向けの背景映像が含まれている場合がある。
しかし、上記のものは、表示される背景映像の決定を曲のジャンルに基づいて行っているため、たとえば、子供が演歌などの大人が歌う曲を選曲した場合であっても、上記成人向けの背景映像が選択されてモニタ画面に表示されてしまう場合がある。
このような事態が生じては、子供に悪影響を与えるおそれがあるため、好ましくない。
【０００４】
そこで、本発明は、上記問題を解決するためになされたものであり、背景映像のうち、所定の背景映像の再生を禁止できる楽音再生装置の実現を目的とする。
【０００５】
【課題を解決するための手段】
本発明は、上記目的を達成するため、
請求項１に記載の発明では、楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号と共に所定の背景映像情報の再生の禁止を指示する指示信号を送信する信号送信手段と、
この信号送信手段により送信される選択信号と指示信号とを受信する信号受信手段と、
前記信号送信手段により送信された指示信号が前記信号受信手段によって受信された場合に、前記背景映像情報のうち、前記背景映像再生手段による所定の背景映像情報の再生を禁止する背景映像再生禁止手段と、
が備えられたという技術的手段を採用する。
【０００６】
請求項２に記載の発明では、楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号と共に所定の背景映像情報の再生の禁止を指示する指示信号を受信する信号受信手段と、
前記指示信号が前記信号受信手段によって受信された場合に、前記背景映像情報のうち、前記背景映像再生手段による所定の背景映像情報の再生を禁止する背景映像再生禁止手段と、
が備えられたという技術的手段を採用する。
【０００７】
請求項３に記載の発明では、請求項１に記載の楽音再生装置において、前記信号送信手段には、前記所定の背景映像の再生の禁止および許容のうちのいずれかを設定する設定スイッチが備えられ、該設定スイッチに所定の背景映像の再生の禁止が設定されることにより前記禁止を指示する指示信号を送信するという技術的手段を採用する。
【０００８】
請求項４に記載の発明では、楽曲情報を記憶する楽曲情報記憶手段と、
この楽曲情報記憶手段から楽曲情報を読み出し楽音として再生する楽曲再生手段と、
前記楽曲情報に関連する背景映像情報を記憶する背景映像情報記憶手段と、
前記楽曲再生手段により前記楽曲情報記憶手段から読み出されて再生される楽曲情報に基づいて前記背景映像情報記憶手段から背景映像情報を読み出して再生する背景映像再生手段とが備えられた楽音再生装置において、
前記楽曲情報記憶手段に記憶されている楽曲情報のうち、所定の楽曲情報を選択させる選択信号からなる第１の信号を送信する第１信号送信手段及び第２の信号を送信する第２信号送信手段と、
第１信号送信手段、第２信号送信手段により送信される第１の信号、第２の信号を受信し、第１の信号送信手段からの第１の信号であるか前記第２の信号送信手段からの第２の信号であるかを判別する信号受信手段と、
前記第２の信号が受信された場合に、前記背景映像情報のうち、前記背景映像再生手段による所定の背景映像情報の再生を禁止する背景映像再生禁止手段と、を備えるという技術的手段を採用する。
【０００９】
【作用】
請求項１ないし請求項４に記載の発明では、上記楽曲情報に関連する背景映像情報を記憶する背景映像情報記憶手段から読み出して再生する背景映像情報のうち、上記背景映像再生手段による所定の背景映像情報の再生を禁止する背景映像再生禁止手段が備えられている。
つまり、上記背景映像情報のうち、いずれの背景映像情報をも再生可能とするのではなく、所定の背景映像情報の再生を禁止することができる。
したがって、たとえば、後述する発明の実施の形態に記載するように、上記所定の背景映像情報として、子供に見せると良い影響を与えない、いわゆる成人向けの映像を示す背景映像情報を再生しないようにすることができる。
【００１０】
特に、請求項１に記載の発明では、上記信号送信手段から、指示信号が送信され、この指示信号が、上記信号受信手段により受信された場合に上記所定の背景映像の再生を禁止することができる。
したがって、たとえば、上記選択信号を成人向けの背景映像を再生する可能性のある曲が選曲されるときの送信信号に付加しておくことにより、たとえ、子供がそのような曲を選曲した場合であっても、上記成人向けの背景映像が再生されるおそれがない。
【００１１】
また、請求項３に記載の発明では、上記所定の背景映像の再生の禁止および許容のうちのいずれかを設定する設定スイッチが備えられているため、楽音再生装置の利用者が、大人である場合には、上記所定の背景映像の再生の許容を選択し、また、利用者が子供である場合には、上記所定の背景映像の再生を禁止するというように、状況に応じた使い分けをすることができる。
【００１２】
さらに、請求項４に記載の発明では、第１の信号送信手段と第２の信号送信手段とを有し、上記背景映像再生禁止手段は、上記受信手段により受信された信号が、上記第１および第２の信号送信手段のいずれの信号送信手段から送信されたものであるかによって上記所定の背景映像の再生を禁止することができる。
つまり、たとえば、上記第１の信号を上記所定の背景映像の再生を禁止する信号に設定するとともに、上記第２の信号を上記所定の背景映像の再生を許容する信号に設定し、そのいずれかの信号を選択して送信できるスイッチを上記送信手段に設けることにより、１つの送信手段であっても、上記所定の背景映像の再生の禁止、または、許容を選択することができる。
【００１３】
また、上記信号送信手段として、上記第１の送信手段および第２の信号送信手段の２つを用意することにより、上記所定の背景映像の再生の禁止、または、許容を選択することができる。
たとえば、後述する発明の実施の形態に記載するように、上記第１の送信手段として上記所定の背景映像の再生を許容する大人用の送信器と、上記第２の送信手段として上記所定の背景映像の再生を禁止する子供用の送信器とを設けることにより、上記所定の背景映像の再生の禁止、または、許容を確実に実行させることができる。
【００１４】
【発明の実施の形態】
以下、本発明の楽音再生装置の一実施形態について図を参照して説明する。
なお、以下の実施形態では、楽音再生装置として、通信回線を利用して曲が提供される、いわゆる通信カラオケ装置を代表に説明する。
最初に、カラオケ装置の主要構成について図１を参照して説明する。図１は、本実施形態のカラオケ装置の主要構成を示す外観説明図である。
【００１５】
図１に示すように、カラオケ装置１０には、カラオケ用の背景映像と、歌詞を示す字幕映像とを表示するＣＲＴモニタ（以下、ＣＲＴと略称する）１２と、歌い手のモニタ用のＣＲＴ１４とが備えられている。また、電話回線３１を介しての楽曲情報たる曲データの蓄積、選曲、曲の予約などの制御、マイク８１，８２から入力される音声と楽曲たるカラオケ曲とのミキシング、音声とカラオケ曲との音量バランス、エコー調整、ディレイ調整、音程の変更（キーチェンジ）などの音声制御、ならびに、ＣＲＴ１２，１４に表示される映像の切替え、合成、分割などの映像制御などの各種制御を行う制御装置２０が備えられている。
【００１６】
さらに、制御装置２０から出力される音声信号の増幅、高音、低音の制御（トーンコントロール）などを行うアンプ１６と、このアンプ１６から出力される音声信号を音として再生する１組のスピーカ８３，８３と、天井用の１組のスピーカ８０，８０と、制御装置２０を遠隔操作する送信器５０と、子供用の送信器９０とが備えられている。
【００１７】
次に、制御装置２０の装備について図２を参照して説明する。
図２（ａ）は、カラオケ装置に備えられた制御装置の前面パネルの説明図、同図（ｂ）は、制御装置の背面パネルの説明図である。
図２（ａ）に示すように、制御装置２０の前面パネルには、マイク８１，８２から入力される音声とカラオケ曲との音量のバランス調整を行うためのバランス調整つまみ２１と、エコーのかかり具合を調整するためのエコー調整つまみ２２と、ディレイのかかり具合を調整するためのディレイ調整つまみ２３とが設けられている。
【００１８】
さらに、送信器５０および送信器９０から送信される光信号を受光するための受光部２４と、選曲された曲の曲番号を表示する曲番号表示体２５と、変更されたキーの位置を表示するキー表示部２６と、マイク８１，８２のジャックを差し込むマイク端子２７，２８とが設けられている。
【００１９】
一方、図２（ｂ）に示すように、制御装置２０の背面パネルには、カラオケ用の音楽データおよび字幕映像データから構成される楽曲情報たる曲データを受信するための電話回線３１（図１、図７参照）を接続する電話回線接続端子３２が設けられており、その右方には、ＣＲＴ１２の映像入力端子（図示省略）と接続される映像出力端子３４と、ＣＲＴ１４の映像入力端子（図示省略）と接続される映像出力端子３５とが設けられている。また、背面パネルの左端には、アンプ１６の音声入力端子（図示省略）と接続される音声出力端子３６が設けられている。
【００２０】
次に、送信器５０の構成について図３および図５を参照して説明する。
図３は、送信器５０の外観説明図であり、図５は、送信器５０の制御系を示すブロック図である。
図３に示すように、送信器５０の右上には、送信器５０の電源をＯＮ、ＯＦＦする電源ボタン５１が設けられており、その下側には、選曲番号などを表示する液晶ディスプレイ５２が設けられている。この液晶ディスプレイ５２の下側には、スピーカ８３，８３、スピーカ８０，８０から出される音量を調整する音量調整ボタン５３が設けられており、その下側には、曲の演奏を開始させる演奏ボタン５４と、その演奏を停止させる停止ボタン５５が設けられている。それらボタンの下側には、選曲の開始、選曲の確定を行う選曲ボタン５６と、選曲の取消しを行う取消ボタン５７とが設けられている。
【００２１】
それらボタンの下側には、選曲する曲の番号を入力するＡ、Ｂ、および０〜９のテンキー５８と、キーチェンジを行うキーチェンジボタン５９と、エコーのかかり具合を調整するエコー調整ボタン６０とが設けられている。
また、送信器５０の左上には、子供がカラオケを行う場合に、成人向けの背景映像がＣＲＴに表示されないようにするための設定スイッチ６１が設けられており、設定スイッチ６１を子供と印された右側へスライドさせると、たとえ、子供が大人の歌を選曲した場合であっても、成人向けの背景映像が再生されないようになっている。つまり、チャイルドロックがかかるようになっている。
なお、上記各ボタンを押すと、各ボタンそれぞれの機能に対応する光信号が、発信窓６２に内蔵されたＬＥＤから発せられ、その光信号は、制御装置２０の受光部２４により受光される。
【００２２】
次に、送信器５０の制御系の構成について図５を参照して説明する。
図５に示すように、送信器５０には、上記各ボタンの有する機能に対応する信号を送信するための各種制御を行うＣＰＵ６３が内蔵されている。このＣＰＵ６３には、上記設定スイッチ６１が子供モードになっている場合にモードデータ「１」を格納し、大人モードになっている場合にモードデータ「０」を格納するＲＡＭ６４と、上記各種ボタンに対応する信号を構成するコマンドなどが記憶されたＲＯＭ６５と、選曲された曲の番号などを液晶ディスプレイ５２に表示するための表示信号を作成する表示回路６６とが接続されている。
また、ＣＰＵ６３には、設定スイッチ６１と、上記各種ボタン群と、ＲＯＭ６５に記憶されたコマンドデータに対応する波形を有する送信信号を生成する波形生成回路６６とが接続されている。
【００２３】
ここで、送信器５０から送信される送信信号を構成するコマンドコードについて、その構成を示す図６を参照して説明する。
コマンドコード７０は、送信器５０から送信された送信信号であることを示すヘッダコード７１と、送信器５０の機種を示すカスタムコード７２と、どのボタン、または、スイッチを押したことによる送信信号であるかを示すデータコード７３とから構成される。
【００２４】
データコード７３の構成を図１１（Ａ）に示す。同図に示すように、データコード７３は、Ｄ０ないしＤ７の８ビットのデータから成り、これらの８ビットのデータの組み合わせにより、選曲番号、選曲の設定、演奏停止、キーチェンジなどを内容とする送信信号が作成される。たとえば、最下位ビットのＤ０のみが「１」であるデータコードは、選曲番号を入力するためのテンキー５８の「１」を示すボタンを押した場合に送信される。また、Ｄ０およびＤ４が「１」であるデータコードは、演奏を停止させる停止ボタン５５を押した場合に送信される。
【００２５】
次に、上記制御装置２０の制御系の構成について図７を参照して説明する。
制御装置２０には、送信器５０から送信された送信信号が、送信器５０に設けられた設定スイッチ６１を大人モードおよび子供モードのいずれの側に設定したことによるものか否かの判定や、上記音声制御、映像制御、曲の演奏順序の予約および演奏順序の変更などをプログラムにしたがって行うＣＰＵ３７が備えられている。このＣＰＵ３７には、モードデータ、予約された曲の番号および曲名データを一時保存するＲＡＭ３８と、この制御装置２０に接続された電話回線３１を利用するための電話番号や、送信器５０から送信されるコマンドに対応する制御コマンドなどが記憶されたＲＯＭ３９が接続されている。
【００２６】
また、ＣＰＵ３７には、ホストコンピュータ８４から電話回線３１および通信端子３２を介して受信され、通信用モデム４２によりデジタル信号に変換された曲データを蓄積するハードディスクメモり４３が接続されている。このハードディスクメモリ４３には、上記設定スイッチ６１の設定状態の判定、後述する各回路やＬＤ（レーザーディスク）再生装置４０などの動作を制御する制御プログラムなどが記録されている。
【００２７】
さらに、ＣＰＵ３７には、ハードディスクメモリ４３に蓄積された曲データ中のＭＩＤＩデータを入力するとともに、そのＭＩＤＩデータに対応する音源データをＭＩＤＩ音源４４１から抽出し、その抽出された音源データをアンプ１６によって増幅可能なアナログの音楽信号に変換したり、マイク８１，８２から入力された音声信号にエコーやディレイをかけたりする音声制御回路４４が接続されている。
【００２８】
また、ＣＰＵ３７には、カラオケの背景映像データが記録された光ディスクを再生するＬＤ再生装置４０から出力される背景映像データと、ハードディスクメモリ４３に記憶された曲データ中の字幕映像データとを入力し、ＣＲＴ１２、１４に表示される映像として、背景映像中に字幕映像や曲番号および曲目の映像がスーパーインポーズされた映像を作成したり、それら各映像の切替え、合成および分割などの制御を行う映像制御回路４５が接続されている。
【００２９】
さらに、ＣＰＵ３７には、受光部２４により受光された光信号をデジタルデータに変換する受光回路４６と、曲番号表示体２５に曲番号を表示するための表示信号と、キー表示体２６にキーの位置を表示するための表示信号とを作成する表示回路４７が接続されている。また、ＣＰＵ３７には、つまみ２１ないし２３の調整により変化した信号の入力を行う入力回路４８が接続されている。
【００３０】
次に、送信器５０によりカラオケ装置１０を操作する場合のＣＰＵ６３の制御内容について図８および図９を参照して説明する。
図８は、送信器５０の電源投入時のＣＰＵ６３の制御内容を示し、図９は、電源投入後に操作した場合のＣＰＵ６３の制御内容を示す。
【００３１】
まず、利用者が、送信器５０の電源ボタン５１を押すと、送信器５０が起動し、続いて、設定スイッチ６１が子供側にスライドされており、子供モードに設定されているか否かが判定され（ステップ１００）、子供モードに設定されている場合には、ＲＡＭ６４にモードデータ「１」を格納する（ステップ１１０）。
一方、子供モードでない場合には、ＲＡＭ６４にモードデータ「０」を格納する（ステップ１２０）。
【００３２】
続いて、送信器５０に設けられた、いずれかのボタンが押されたか否かのウオッチングが行われ（ステップ１３０）、いずれかのボタンが押された場合には、選曲のためのテンキー５８のいずれかのキーが押されたか否かが判定され（ステップ１４０）、いずれかのキーが押された場合には、その押されたキーに対応する数字を液晶ディスプレイ５２に表示する（ステップ１５０）。たとえば、押されたキーが「１」である場合には、数字の「１」を液晶ディスプレイ５２に表示する。
【００３３】
続いて、いずれかのボタンが押されたか否かが判定され（ステップ１６０）、選曲番号の入力が終了したときに選曲を確定するための選曲ボタン５６が押されたか否かが判定される（ステップ１７０）。まだ、選曲番号の入力が終了しておらず、選曲ボタン５６が押されていない場合には、テンキー５８が押されたか否かが判定され（ステップ１８０）、押されている場合には、その押されたキーに対応する数字を液晶ディスプレイ５２に表示する（ステップ１９０）。
このように、ステップ１６０ないしステップ１９０を選曲番号の入力が終了するまで繰り返し、押されたキーに対応する数字を液晶ディスプレイ５２に表示する。この表示は、ＣＲＴ１２、１４および制御装置２０の曲番号表示体２５にも行われる。また、キーを押す毎に発生し、そのキーに対応する数字を示す選曲番号データは、ＲＡＭ６４に一時保存される。
【００３４】
そして、選曲番号の入力が終了し、選曲ボタン５６が押されると（ステップ１７０）、ＲＡＭ６４に記憶されているモードデータが「１」であるか否かが判定され（ステップ２００）、モードデータが「１」である場合には、ＲＡＭ６４に記憶されている選曲番号データの各データコード７３の最上位ビットＤ７を「１」に設定する（ステップ２１０）。最上位ビットＤ７が「１」に設定されたデータコードを図１１（Ｂ）に示す。
つまり、送信器５０から送信される送信信号が、設定スイッチ６１により子供モードに設定されている送信信号であることを、送信信号の受信側である制御装置２０のＣＰＵ３７により識別できるように設定する。
【００３５】
続いて、ＲＡＭ６４に記憶されている選曲番号データが読み出されるとともに、その読出された選曲番号データの先頭にヘッダコード７１およびカスタムコード７２（図６参照）が付され、波形生成回路６７により光信号に変化された後に送信信号として発信窓６２から発信され（ステップ２２０）、液晶ディスプレイ５２の表示が消える（ステップ２３０）。
【００３６】
次に、制御装置２０に内蔵されたＣＰＵ３７の制御について、その制御内容を示す図１０のフローチャートを参照して説明する。
送信器５０から発信された送信信号は、制御装置２０に設けられた受光部２４により受光され、この受光された送信信号は、受光回路４６により、受信データとしてデジタル信号に変換され、ＲＡＭ３８に一時保存される。続いて、その一時保存された受信データに含まれる選曲番号データは、ＣＰＵ３７により読み出され、通信用モデム４２、通信端子３２および電話回線３１を介してホストコンピュータ８４へ送信される。
【００３７】
すると、ホストコンピュータ８４は、ＲＯＭ３９に記憶されている電話番号を読み出して、その電話番号が契約された正規のものであるかを確認する作業を行い、その確認後に上記要求された曲データが、ホストコンピュータ８４から電話回線３１を介して受信され、受信された曲データは、ハードディスクメモリ４３に蓄積される。また、曲データ中には、ＭＩＤＩデータ、字幕映像データの他に曲のジャンルを示すジャンルデータが含まれている。
【００３８】
ここで、背景映像を選択する基準となるジャンルデータと、このジャンルデータに基づいて選択される背景映像のうち、所定の背景映像の選択の禁止または許容を行う基準となるモードデータとの関係について説明する。
ＬＤ再生装置４０により再生される光ディスクには、複数の背景映像が曲のジャンル毎に記憶されており、ＲＯＭ３９には、ジャンルデータと背景映像とを対応させて設定した背景映像テーブルが記憶されている。
つまり、ＣＰＵ３７は、ジャンルデータに対応する複数の背景映像の中から、１つの背景映像をランダムに抽出して読み出す。
【００３９】
また、ＲＯＭ３９には、図１２に示すように、曲のジャンル（ジャンルデータ）とモードデータとを対応させて設定したモードデータテーブル１０２が記憶されている。このモードデータテーブル１０２において、モードデータが「０」に設定されたジャンルは、モードデータが「０」である場合に限り、その背景映像の表示が許容されることを示す。
つまり、モードデータが「１」である場合には、モードデータが「０」にのみ設定されているジャンルの背景映像の再生が禁止される。
また、モードデータが「１／０」に設定されたジャンルは、モードデータが「１」および「０」のいずれであっても、その背景映像の表示が許容されることを示す。
【００４０】
そして、ＣＰＵ３７は、ハードディスクメモリ４３に蓄積された曲データを読出し、曲データ中のジャンルデータに基づいて曲のジャンルの特定を行うとともに（ステップ３００）、ＲＡＭ３８に記憶されている選曲番号データに含まれるデータコード７３の最上位ビットＤ７が「１」であるか否かを判定する（ステップ３１０）。
つまり、送信器５０にチャイルドロックがかかっているか否かを判定する。
続いて、Ｄ７が「１」である場合には、モードデータテーブル１０２の中で、モードデータが「１」に設定されたジャンルに対応する背景映像の中から１つの背景映像をランダムに選択し（ステップ３２０）、ＣＲＴ１２，１４に表示する（ステップ３３０）。
つまり、モードデータが「０」にのみ設定されたジャンルに対応する背景映像の選択を禁止し、ＣＲＴ１２，１４に表示しないように制御する。
【００４１】
図１１に示すモードデータテーブル１０２では、モードデータが「１」に設定されたジャンルは、ポップス一般と、アニメの主題歌であるから、子供がそれらのジャンルの曲を選曲した場合に、そのジャンルに対応する背景映像が選択されて表示される。
なお、本実施形態では、成人向けの背景映像が選択される可能性のあるジャンルに対応する背景映像の再生を総て禁止する構成を採ったが、成人向けの背景映像を示す背景映像データに再生を禁止する禁止コードデータを持たせておくことにより、モードデータが「１」である場合に、上記禁止コードデータを持った背景映像が選択されてしまった場合には、ＣＰＵ３７が、その禁止コードデータの存在を検出し、その背景映像の再生を禁止するように制御する構成を採ることもできる。この構成の場合は、ＣＰＵ３７は、禁止コードデータを持たない背景映像を選択するまで選択を繰り返すか、ポップス一般やアニメ主題歌などのジャンルに対応した背景映像のグループへスキップして、その中から１つの背景映像を選択することができる。
【００４２】
一方、Ｄ７が「０」である場合には、モードデータ「０」を有するジャンルの中からの背景映像の選択が許容され、１つの背景映像を選択し（ステップ３４０）、ＣＲＴ１２、１４に表示する（ステップ３３０）。
このように、モードデータが「１」である場合、つまり、送信器５０が子供モードになっている場合には、成人向けの背景映像の表示を禁止することができる。
【００４３】
なお、背景映像は、図１３に示すように、背景映像２００に字幕映像２０２をスーパーインポーズした形で行われる。また、曲の進行に従って、字幕映像２０２にテロップ２０４が表示される。
一方、ハードディスクメモリ４３から読出された曲データに含まれるＭＩＤＩデータは、音声制御回路４４に入力されるとともに、そのＭＩＤＩデータに対応するＭＩＤＩ音源４４１に書き込まれ、ＭＩＤＩ音源４４１から出力された音源データは、アンプ１６によって増幅可能なアナログの音楽信号に変換される。この音楽信号は、アンプ１６へ出力され、増幅された後にスピーカ８３，８３、スピーカ８０，８０へ出力され、両スピーカによって再生される。
【００４４】
また、マイク８１、または、マイク８２から入力された音声は、音声信号となって音声制御回路４４に入力され、上記音楽信号とミキシングされる。このミキシングされたミキシング信号は、アンプ１６へ出力され、増幅された後にスピーカ８３，８３、スピーカ８０，８０へ出力され、両スピーカによって音楽信号および音声信号が再生される。
つまり、利用者は、自分の選んだ曲をＣＲＴ１２、１４の画面に映し出された背景映像および字幕映像を見ながらマイク８１、または、マイク８２を通して歌う（カラオケする）ことができる。
【００４５】
このように、本実施形態のカラオケ装置によれば、子供が大人向けの曲を選曲した場合であっても、成人向けの背景映像が選択されて表示されてしまうことがないため、子供に悪影響を与えるのを防止することができる。
【００４６】
また、上記実施形態では、送信器５０に設けられた設定スイッチ６１を操作してチャイルドロックを掛ける場合を説明したが、図４に示すように、子供専用の送信器９０を用意しておく手段を採ることもできる。
送信器９０は、図４に示すように、各種ボタンの説明をする文字が、ひらがなに変更されており、ボタンのデザインも子供向けになっている。また、子供向けのイラスト９１が描かれており、子供専用の送信器であることを識別し易くなっている。
【００４７】
この送信器９０の主要構造は、送信器５０と略同じであるため、説明は省略するが、選曲番号データの最上位ビットＤ７は、予め「１」に固定されており、モードデータは、常時、子供モードを示す「１」に設定されている。
したがって、子供がカラオケをする場合には、送信器９０を渡しておけば、誤って成人向けの背景映像が表示されてしまうのを確実に防止することができる。
なお、上記各実施形態では、子供モードであることを識別するために、選曲番号データの最上位ビットを「１」にする場合を説明したが、他のビットを「１」に設定してもよいし、識別用の専用のビットを設けてもよい。
【００４８】
ところで、上記送信器５０と、ＣＰＵ６３により実行されるステップ１００ないしステップ１２０と、ステップ１３０ないしステップ２３０と、ＣＰＵ３７により実行されるステップ３００ないしステップ３３０とが、本発明の背景情報再生禁止手段として機能する。また、設定スイッチ６１を大人モードにした場合の送信器５０が本発明の第１の信号送信手段に、送信器９０が第２の信号送信手段に相当し、送信器５０から送信される送信信号が、本発明の第１の信号に、送信器９０から送信される送信信号が、第２の信号に相当する。さらに、ＣＰＵ３７により実行されるステップ３１０が、本発明の信号判別手段として機能する。
またさらに、送信器５０を大人および子供兼用とした場合には、設定スイッチ６１が、本発明の第１の信号送信手段および第２の信号送信手段として機能し、設定スイッチ６１を大人モードに設定した場合に送信器５０から送信される送信信号が、本発明の第１の信号に、設定スイッチ６１を子供モードに設定した場合に送信器５０から送信される送信信号が、第２の信号に相当する。
【００４９】
【発明の効果】
以上のように、本発明によれば、背景映像のうち、所定の背景映像の再生を禁止できる楽音再生装置を実現することができる。
【図面の簡単な説明】
【図１】  本発明実施形態のカラオケ装置の外観説明図である。
【図２】  （ａ）は、カラオケ装置に備えられた制御装置の前面パネルの説明図であり、（ｂ）は、制御装置の背面パネルの説明図である。
【図３】  カラオケ装置に備えられた送信器の説明図である。
【図４】  カラオケ装置に備えられた子供専用の送信器の説明図である。
【図５】  送信器の主要構造を示すブロック図である。
【図６】  送信器から送信されるデータの説明図である。
【図７】  制御装置の制御系の構成を示すブロック図である。
【図８】  ＣＰＵ６３の制御内容を示すフローチャートである。
【図９】  ＣＰＵ６３の制御内容を示すフローチャートである。
【図１０】  ＣＰＵ３７の制御内容を示すフローチャートである。
【図１１】  （Ａ）は、データＤ７が「０」に設定された送信器コードテーブルの説明図であり、（Ｂ）は、データＤ７が「１」に設定された送信器コードテーブルの説明図である。
【図１２】  モードデータテーブルの説明図である。
【図１３】  ＣＲＴ１２の表示内容を示す説明図である。
【符号の説明】
１０          カラオケ装置
１２、１４    ＣＲＴ
１６          アンプ
２０          制御装置
３１          電話回線
３７          ＣＰＵ
４０          ＬＤ再生装置
４３          ハードディスクメモリ
４４          音声制御回路
４５          映像制御回路
５０          送信器
８４          ホストコンピュータ
９０          子供用送信器
【図１】
0003871379.tif 000002
【図２】
0003871379.tif 000003
【図３】
0003871379.tif 000004
【図４】
0003871379.tif 000005
【図５】
0003871379.tif 000006
【図６】
0003871379.tif 000007
【図７】
0003871379.tif 000008
【図８】
0003871379.tif 000009
【図９】
0003871379.tif 000010
【図１０】
0003871379.tif 000011
【図１１】
0003871379.tif 000012
【図１２】
0003871379.tif 000013
【図１３】
0003871379.tif 000014